(57)【特許請求の範囲】
【請求項１】
貨幣を処理する貨幣処理装置であって、
前記貨幣を搬送するように構成された搬送部と、
前記貨幣の金種および正損要因を識別するように構成された識別部と、
前記貨幣が予め定められた特定貨幣に該当するか否かを判定するように構成された判定部と、
前記判定部の判定結果に応じて前記搬送部による該貨幣の搬送を制御するように構成された制御部とを備え、
前記特定貨幣は、処理の対象外とされるリジェクト貨幣に該当し、
前記判定部は、どの金種のどの正損要因に対応する貨幣が前記リジェクト貨幣に該当すると判定されるべきかを示す条件を含む特定貨幣判定条件と前記識別部において識別された前記貨幣の金種および正損要因とに基づいて該貨幣が該リジェクト貨幣に該当するか否かを判定するように構成され、
前記制御部は、前記判定部において前記リジェクト貨幣に該当すると判定された貨幣が予め定められたリジェクト部へ搬送されるように、前記搬送部による該貨幣の搬送を制御するように構成されている
ことを特徴とする貨幣処理装置。
【請求項２】
請求項１において、
前記制御部は、前記判定部において前記特定貨幣に対応する正損要因とは異なる正損要因に対応する損貨に該当すると判定された貨幣が前記リジェクト部とは異なる予め定められた搬送先へ搬送されるように、前記搬送部による該貨幣の搬送を制御する
ことを特徴とする貨幣処理装置。
【請求項３】
請求項１または２において、
前記識別部は、前記貨幣の新旧を識別するように構成され、
前記判定部は、前記識別部において識別された前記貨幣の金種および新旧に基づいて該貨幣が前記特定貨幣に該当するか否かを判定するように構成されている
ことを特徴とする貨幣処理装置。
【請求項４】
請求項１−３のいずれか１項において、
前記識別部は、前記貨幣の記番号を読み取るように構成され、
前記判定部は、前記識別部において識別された前記貨幣の金種と該識別部における該貨幣の記番号の読み取り可否とに基づいて該貨幣が前記特定貨幣に該当するか否かを判定するように構成されている
ことを特徴とする貨幣処理装置。
【請求項５】
請求項１−４のいずれか１項において、
前記識別部は、さらに、前記貨幣の搬送異常とサイズ異常と金種異常と真偽異常のうち少なくとも１つの異常を識別するように構成され、
前記判定部は、さらに、前記識別部において異常と識別された貨幣を前記特定貨幣と判定するように構成されている
ことを特徴とする貨幣処理装置。
【請求項６】
請求項１において、
前記リジェクト部は、前記貨幣を当該貨幣処理装置外へ返却するための返却口を含んでいる
ことを特徴とする貨幣処理装置。
【請求項７】
請求項１において、
前記リジェクト部は、前記貨幣を収納するための収納部を含んでいる
ことを特徴とする貨幣処理装置。
【請求項８】
請求項１において、
前記識別部は、前記貨幣の新旧を識別するように構成され、
前記特定貨幣判定条件は、どの金種の旧貨が前記特定貨幣に該当すると判定されるべきか否かを示す条件を含み、
前記判定部は、前記特定貨幣判定条件と前記識別部において識別された前記貨幣の金種および新旧に基づいて該貨幣が前記特定貨幣に該当するか否かを判定するように構成されている
ことを特徴とする貨幣処理装置。
【請求項９】
請求項１または８において、
前記識別部は、前記貨幣の記番号を読み取るように構成され、
前記特定貨幣判定条件は、どの金種の読取不可貨幣が前記特定貨幣に該当すると判定されるべきか否かを示す条件を含み、
前記読取不可貨幣は、前記記番号を読み取れない貨幣に該当し、
前記判定部は、前記特定貨幣判定条件と前記識別部において識別された前記貨幣の金種と該識別部における該貨幣の記番号の読み取り可否とに基づいて該貨幣が前記特定貨幣に該当するか否かを判定するように構成されている
ことを特徴とする貨幣処理装置。
【請求項１０】
請求項１，８，９のいずれか１項において、
前記特定貨幣判定条件を設定するように構成された設定部をさらに備えている
ことを特徴とする貨幣処理装置。
【発明の詳細な説明】
【技術分野】
【０００１】
ここに開示する技術は、貨幣を処理する貨幣処理装置に関する。
【背景技術】
【０００２】
従来、金融機関などの貨幣を取り扱う場面において貨幣処理装置が利用されている。この種の貨幣処理装置は、例えば、特許文献１などに開示されている。特許文献１には、識別部による紙幣の識別結果に基づいて紙幣の入金が可能であるか否かを判定し、入金可と判定された紙幣を金種毎に収納部へ収納し、入金不可と判定された紙幣をリジェクト紙幣として所定の出金口から出金する紙幣処理装置が開示されている。また、特許文献１の紙幣処理装置は、リジェクト原因に基づいて、リジェクト紙幣を不適正リジェクト紙幣と適正リジェクト紙幣とに区分けして出金している。なお、不適正リジェクト紙幣は、再投入しても適正に処理されることのないリジェクト紙幣（具体的には、偽券や損券と識別されたことをリジェクト原因とするリジェクト紙幣）のことであり、適正リジェクト紙幣は、再投入によって適正に処理される可能性のあるリジェクト紙幣（具体的には、斜行や連鎖といった搬送異常をリジェクト原因とするリジェクト紙幣）のことである。
【先行技術文献】
【特許文献】
【０００３】
【特許文献１】特開２０１１−１９８１４５号公報
【発明の概要】
【発明が解決しようとする課題】
【０００４】
近年、貨幣の取り扱いの設定自由度を向上させることへの要望が高くなってきている。しかしながら、特許文献１の紙幣処理装置では、リジェクト原因に基づいてリジェクト紙幣が不適正リジェクト紙幣と適正リジェクト紙幣とに区別されるものの、リジェクト原因とは異なる他の要件（例えば、紙幣の金種や正損要因など）に応じて紙幣の取り扱いを設定することができない。そのため、貨幣の取り扱いの設定自由度を向上させることが困難である。
【０００５】
そこで、ここに開示する技術は、貨幣の取り扱いの設定自由度を向上させることが可能な貨幣処理装置を提供することを目的とする。
【課題を解決するための手段】
【０００６】
ここに開示する技術は、貨幣を処理する貨幣処理装置に関し、この貨幣処理装置は、前記貨幣を搬送するように構成された搬送部と、前記貨幣の金種および正損要因を識別するように構成された識別部と、前記貨幣が予め定められた特定貨幣に該当するか否かを判定するように構成された判定部と、前記判定部の判定結果に応じて前記搬送部による該貨幣の搬送を制御するように構成された制御部とを備え、前記特定貨幣は、処理の対象外とされるリジェクト貨幣に該当し、前記判定部は、どの金種のどの正損要因に対応する貨幣が前記リジェクト貨幣に該当すると判定されるべきかを示す条件を含む特定貨幣判定条件と前記識別部において識別された前記貨幣の金種および正損要因とに基づいて該貨幣が該リジェクト貨幣に該当するか否かを判定するように構成され、前記制御部は、前記判定部において前記リジェクト貨幣に該当すると判定された貨幣が予め定められたリジェクト部へ搬送されるように、前記搬送部による該貨幣の搬送を制御するように構成されている。
【０００７】
前記の構成では、貨幣の取り扱い（貨幣を予め定められた特定貨幣として取り扱うのか否か）を金種別および正損要因別に設定することができる。これにより、貨幣の取り扱いの設定自由度を向上させることができる。
【０００８】
また、前記の構成では、特定貨幣を処理の対象外とされる貨幣（具体的には、リジェクト貨幣）として取り扱うことにより、特定貨幣の取り扱いを処理の対象外とされる貨幣と同一の取り扱いとすることができる。
【０００９】
また、前記の構成では、貨幣の取り扱い（貨幣を予め定められた特定貨幣として取り扱うのか否か）を金種別および正損要因別に設定することができる。これにより、貨幣の取り扱いの設定自由度を向上させることができる。
【００１０】
前記制御部は、前記判定部において前記特定貨幣に対応する正損要因とは異なる正損要因に対応する損貨に該当すると判定された貨幣が前記リジェクト部とは異なる予め定められた搬送先へ搬送されるように、前記搬送部による該貨幣の搬送を制御するように構成されていてもよい。
【００１１】
前記の構成では、特定貨幣の取り扱いを損貨の取り扱いとは異なる取り扱いに設定することができる。
【００１２】
前記識別部は、前記貨幣の新旧を識別するように構成され、前記判定部は、前記識別部において識別された前記貨幣の金種および新旧に基づいて該貨幣が前記特定貨幣に該当するか否かを判定するように構成されていてもよい。
【００１３】
前記の構成では、貨幣の取り扱い（貨幣を予め定められた特定貨幣として取り扱うのか否か）を金種別および新旧別に設定することができる。これにより、貨幣の取り扱いの設定自由度を向上させることができる。
【００１４】
前記識別部は、前記貨幣の記番号を読み取るように構成され、前記判定部は、前記識別部において識別された前記貨幣の金種と該識別部における該貨幣の記番号の読み取り可否とに基づいて該貨幣が前記特定貨幣に該当するか否かを判定するように構成されていてもよい。
【００１５】
前記の構成では、貨幣の取り扱い（貨幣を予め定められた特定貨幣として取り扱うのか否か）を金種別および貨幣の記番号の読み取り可否別に設定することができる。これにより、貨幣の取り扱いの設定自由度を向上させることができる。
【００１６】
前記識別部は、さらに、前記貨幣の搬送異常とサイズ異常と金種異常と真偽異常のうち少なくとも１つの異常を識別するように構成され、前記判定部は、さらに、前記識別部において異常と識別された貨幣を前記特定貨幣と判定するように構成されていてもよい。
【００１７】
前記の構成では、貨幣の取り扱い（貨幣を予め定められた特定貨幣として取り扱うのか否か）を異常種別に応じて設定することができる。
【００１８】
前記リジェクト部は、前記貨幣を当該貨幣処理装置外へ返却するための返却口を含んでいてもよい。
【００１９】
前記の構成では、特定貨幣を返却口から返却することができる。
【００２０】
前記リジェクト部は、前記貨幣を収納するための収納部を含んでいてもよい。
【００２１】
前記の構成では、特定貨幣を収納部に収納することができる。
【００２２】
前記識別部は、前記貨幣の新旧を識別するように構成され、前記特定貨幣判定条件は、どの金種の旧貨が前記特定貨幣に該当すると判定されるべきか否かを示す条件を含み、前記判定部は、前記特定貨幣判定条件と前記識別部において識別された前記貨幣の金種および新旧に基づいて該貨幣が前記特定貨幣に該当するか否かを判定するように構成されていてもよい。
【００２３】
前記の構成では、貨幣の取り扱い（貨幣を予め定められた特定貨幣として取り扱うのか否か）を金種別および新旧別に設定することができる。これにより、貨幣の取り扱いの設定自由度を向上させることができる。
【００２４】
前記識別部は、前記貨幣の記番号を読み取るように構成され、前記特定貨幣判定条件は、どの金種の読取不可貨幣が前記特定貨幣に該当すると判定されるべきか否かを示す条件を含み、前記読取不可貨幣は、前記記番号を読み取れない貨幣に該当し、前記判定部は、前記特定貨幣判定条件と前記識別部において識別された前記貨幣の金種と該識別部における該貨幣の記番号の読み取り可否とに基づいて該貨幣が前記特定貨幣に該当するか否かを判定するように構成されていてもよい。
【００２５】
前記の構成では、貨幣の取り扱いを金種別および貨幣の記番号の読み取り可否別に設定することができる。これにより、貨幣の取り扱いの設定自由度を向上させることができる。
【００２６】
前記貨幣処理装置は、前記特定貨幣判定条件を設定するように構成された設定部をさらに備えていてもよい。
【００２７】
前記の構成では、特定貨幣判定条件を任意に設定することができる。これにより、貨幣の取り扱いの設定自由度をさらに向上させることができる。
【発明の効果】
【００２８】
以上のように、貨幣の取り扱いの設定自由度を向上させることができる。
【図面の簡単な説明】
【００２９】
【図１】実施形態１による紙幣処理装置の概略斜視図である。
【図２】実施形態１による紙幣処理装置の概略構成図である。
【図３】実施形態１による紙幣処理装置のブロック図である。
【図４】金種と正損要因と紙幣の取り扱いとの対応を示した第１判定テーブルの一例を示す図である。
【図５】金種と新旧と紙幣の取り扱いとの対応と金種と記番号読み取り可否と紙幣の取り扱いとの対応とを示した第２判定テーブルの一例を示す図である。
【図６】特定貨幣判定条件の設定画面を示す図である。
【図７】紙幣処理装置による動作例の一部を示すフローチャートである。
【図８】紙幣処理装置による動作例の残部を示すフローチャートである。
【図９】業務と正損要因と紙幣の取り扱いとの対応と業務と真偽識別の要否との対応と業務と金種識別の識別レベルとの対応とを示した制御テーブルの一例を示す図である。
【図１０】実施形態２による紙幣処理装置の概略斜視図である。
【図１１】実施形態２による紙幣処理装置の概略構成図である。
【図１２】実施形態２による紙幣処理装置のブロック図である。
【発明を実施するための形態】
【００３０】
以下、実施の形態を図面を参照して詳しく説明する。なお、図中同一または相当部分には同一の符号を付しその説明は繰り返さない。
【００３１】
（実施形態１）
図１は、実施形態１による紙幣処理装置１の構成例を示している。紙幣処理装置１は、貨幣を処理する貨幣処理装置の一例である。紙幣処理装置１は、紙幣整理機を構成しており、紙幣の計数を行う機能や、紙幣の種別に応じて紙幣を分類して集積する機能や、紙幣を結束する機能や、紙幣に関する情報を示した出力用データファイルを出力する機能などを有している。具体的には、紙幣処理装置１は、筐体１０と、識別ユニット２０と、搬送部３０と、紙幣結束部３５と、操作部４０と、制御ユニット５０とを備えている。
【００３２】
〔筐体〕
筐体１０には、識別ユニット２０と搬送部３０と紙幣結束部３５と制御ユニット５０とが収容されている。筐体１０の側面には、操作部４０が設けられている。また、筐体１０には、入金ホッパ１１と、リジェクトスタッカ１２と、第１非結束スタッカ１３と、第２非結束スタッカ１４と、第１結束スタッカ１５と、第２結束スタッカ１６と、投出部１７とが設けられている。
【００３３】
〈入金ホッパ〉
入金ホッパ１１は、載置された紙幣を取り込むように構成されている。この例では、入金ホッパ１１は、紙幣を取り込むための取込口１１ａと、紙幣が載置される載置台１１ｂと、載置台１１ｂに載置された紙幣を取込口１１ａに案内するためのガイド部１１ｃと、取込ローラ１１ｄとを有している。取込ローラ１１ｄは、載置台１１ｂに載置された紙幣を取込口１１ａから１枚ずつ取り込むように構成されている。
【００３４】
入金ホッパ１１には、紙幣センサＳ１１が設けられている。紙幣センサＳ１１は、入金ホッパ１１（詳しくは載置台１１ｂ）における紙幣の在否を検出するように構成されている。具体的には、紙幣センサＳ１１は、光を送信する送信部と光を受信する受信部とを有し、送信部から出射されて受信部に到達する光が遮断されることによって紙幣が存在していることを検出するように構成されている。そして、紙幣センサＳ１１は、入金ホッパ１１内の紙幣により光が遮断されるように配置され、光が遮断されることによって入金ホッパ１１内に紙幣が存在していることを検出する。
【００３５】
〈リジェクトスタッカ〉
リジェクトスタッカ１２は、予め定められた特定紙幣（特定貨幣）を含むリジェクト紙幣を集積するように構成されている。この例では、リジェクトスタッカ１２（リジェクト部）は、紙幣を収納するための収納部を構成している。リジェクトスタッカ１２には、集積センサＳ１２が設けられている。集積センサＳ１２は、リジェクトスタッカ１２における紙幣の在否を検出するように構成されている。なお、特定紙幣については、後で詳しく説明する。
【００３６】
〈非結束スタッカ〉
第１および第２非結束スタッカ１３，１４は、結束を行わない紙幣を集積するように構成されている。図１に示すように、第１および第２非結束スタッカ１３，１４は、筐体１１の側面に開口する取出口１３ａ，１４ａを有している。
【００３７】
第１および第２非結束スタッカ１３，１４には、集積センサＳ１３，Ｓ１４が設けられている。集積センサＳ１３は、第１非結束スタッカ１３における紙幣の在否を検出するように構成され、集積センサＳ１４は、第２非結束スタッカ１４における紙幣の在否を検出するように構成されている。
【００３８】
〈結束スタッカ〉
第１および第２結束スタッカ１５，１６は、結束を行う紙幣を集積するように構成されている。図１に示すように、第１および第２結束スタッカ１５，１６は、筐体１１の側面に開口する取出口１５ａ，１６ａと、取出口１５ａ，１６ａを開閉する扉１５ｂ，１６ｂとを有している。
【００３９】
第１および第２結束スタッカ１５，１６には、集積センサＳ１５，Ｓ１６が設けられている。集積センサＳ１５は、第１結束スタッカ１５における紙幣の在否を検出するように構成され、集積センサＳ１６は、第２結束スタッカ１６における紙幣の在否を検出するように構成されている。
【００４０】
〈投出部〉
投出部１７は、結束紙幣を投出するように構成されている。なお、結束紙幣については後で詳しく説明する。
【００４１】
〔識別ユニット〕
識別ユニット２０は、紙幣の種別の識別および紙幣の記番号の読み取りを行うように構成されており、ラインセンサや磁気センサや画像センサなどの各種センサと識別部２１とを有している。識別部２１は、各種センサにより取得された紙幣の特徴に基づいて紙幣の種別の識別および紙幣の記番号の読み取りを行う。具体的には、識別部２１は、各種センサにより取得される紙幣の特徴と予め記憶されている紙幣の各種別の特徴とを比較することにより紙幣の種別を識別し、画像センサにより取得された紙幣の画像から記番号を読み取る（認識する）ように構成されている。
【００４２】
この例では、識別部２１は、紙幣の金種と正損と新旧とを識別するように構成されている。紙幣の金種識別では、紙幣の通貨単位や発行元（どの中央銀行から発行された紙幣に該当するのか）や通貨額などが識別される。紙幣の正損識別では、紙幣が正券（正貨）に該当するのか損券（損貨）に該当するのかが識別されるとともに正損要因（正券に該当しないと識別された原因）が取得される。紙幣の新旧識別では、紙幣が新券（新貨）に該当するのか旧券（旧貨）に該当するのかが識別される。なお、この例では、正損要因には、穴欠損と、コバ折れと、部分テープと、全面テープと、欠損と、汚損と、疲労とが含まれている。穴欠損は、紙幣に穴が空いているという要因に該当する。コバ折れは、紙幣の端が折れ曲がっているという要因に該当する。部分テープは、紙幣の一部にテープが貼られているという要因に該当する。全面テープは、紙幣のほぼ全面にテープが貼られているという要因に該当する。欠損は、紙幣の一部が破れていたり切り欠かれていたりするという要因に該当する。汚損は、紙幣が汚れているという要因に該当する。疲労は、紙幣がくたびれているという要因に該当する。例えば、紙幣の正損識別において紙幣に穴が空いていることを主な要因として紙幣が正券に該当しないと識別された場合、その紙幣の正損要因は「穴欠損」となる。
【００４３】
また、この例では、識別部２１は、紙幣の記番号を読み取るように構成され、紙幣の記番号を読み取れない場合にその旨を示した情報を制御ユニット５０に送信するように構成されている。さらに、識別部２１は、紙幣の搬送異常とサイズ異常と金種異常と真偽異常とを識別するように構成されている。なお、搬送異常は、紙幣の搬送状態が予め定められた正常な搬送状態ではなく、斜行状態（紙幣の搬送方向に対する斜行角度が所定の許容斜行角度よりも大きくなっている状態）や連鎖状態（連続して搬送される紙幣間の距離である紙幣間距離が所定の許容紙幣間距離よりも小さくなっている状態）などの異常な搬送状態となっている状態のことである。サイズ異常は、紙幣のサイズ（形状や長さや幅や厚みなど）が予め定められた規格に該当していない状態のことである。金種異常は、紙幣の金種（通貨単位や発行元や通貨額など）が紙幣処理装置１において予め定められた金種（処理の対象とされる金種）に該当していない状態のことである。真偽異常は、紙幣が真券（真貨）に該当するか偽券（偽貨）に該当するかを識別する真偽識別において紙幣が偽券に該当すると識別されている状態のことである。
【００４４】
なお、識別部２１は、例えば、ＣＰＵなどの演算処理部や演算処理部を動作させるための各種プログラムや情報を記憶するメモリ（記憶部）などにより構成されている。また、識別部２１は、制御ユニット５０に含まれていてもよい。
【００４５】
〔搬送部〕
搬送部３０は、紙幣を搬送するように構成されている。具体的には、搬送部３０は、搬送路３１を有している。搬送路３１は、搬送ベルトや搬送ベルトを駆動する駆動機構などにより構成されている。この例では、搬送路３１は、主搬送路３１０と第１−第５分岐路３１１−３１５とを有している。第１分岐路３１１は、主搬送路３１０からリジェクトスタッカ１２まで延び、第２分岐路３１２は、主搬送路３１０から第１非結束スタッカ１３まで延び、第３分岐路３１３は、主搬送路３１０から第２非結束スタッカ１４まで延び、第４分岐路３１４は、主搬送路３１０から第１結束スタッカ１５まで延び、第５分岐路３１５は、主搬送路３１０から第２結束スタッカ１６まで延びている。
【００４６】
搬送部３０には、通過センサＳ３０が設けられている。通過センサＳ３０は、搬送路３１における紙幣の通過を検出するように構成されている。なお、通過センサＳ３０は、紙幣センサＳ１１と同様の構成を有している。すなわち、通過センサＳ３０は、光を送信する送信部と光を受信する受信部とを有し、搬送路３１を通過する紙幣により光が遮断されるように配置され、光が遮断されることによって紙幣が通過したことを検出する。
【００４７】
〔紙幣結束部〕
紙幣結束部３５は、第１結束スタッカ１５（または第２結束スタッカ１６）に集積された紙幣を結束して結束紙幣を作成し、その結束紙幣を投出部１７へ搬送するように構成されている。この例では、紙幣結束部３５は、テープ供給部３６と、結束処理部３７と、第１搬送部３８と、第２搬送部３９とを備えている。テープ供給部３６は、結束処理部３７にテープを供給する。結束処理部３７は、テープ供給部３６から供給されたテープでテープ輪Ｌを作成する。第１搬送部３８は、第１結束スタッカ１５（または第２結束スタッカ１６）に集積された紙幣を把持し、その紙幣を結束処理部３７において作成されたテープ輪Ｌの中へ搬送する。第１搬送部３８によりテープ輪Ｌの中に紙幣が配置されると、結束処理部３７は、テープを引き戻してテープを紙幣に巻き付ける。これにより、結束紙幣が作成される。第２搬送部３９は、結束処理部３７において作成された結束紙幣を把持し、その紙幣を投出部１７へ搬送する。
【００４８】
〔操作部〕
操作部４０は、操作者により操作されて情報を入力するように構成されている。この例では、操作部４０は、情報を表示する表示部を兼ねている。具体的には、操作部４０は、タッチパネルにより構成されている。
【００４９】
〔制御ユニット〕
制御ユニット５０は、例えば、周知のマイクロコンピュータをベースとして構成され、ＣＰＵなどの演算処理部や、演算処理部を動作させるための各種プログラムや情報を記憶するメモリ（記憶部）などを有している。
【００５０】
図３に示すように、制御ユニット５０は、入金ホッパ１１，リジェクトスタッカ１２，第１非結束スタッカ１３，第２非結束スタッカ１４，第１結束スタッカ１５，第２結束スタッカ１６，識別ユニット２０の識別部２１，搬送部３０，紙幣結束部３５，操作部４０と通信可能に接続されている。そして、制御ユニット５０は、紙幣処理装置１の各部に設けられた各種センサ（具体的には、紙幣センサＳ１１と集積センサＳ１２−Ｓ１６と通過センサＳ３０）と接続され、これらの検出信号を入力するように構成されている。また、制御ユニット５０は、外部機器１００と通信可能に接続されている。外部機器１００の例としては、金融機関のセンターなどに設置されるサーバなどの上位端末や、外部ディスプレイなどの表示装置や、プリンタなどの出力装置や、ＵＳＢメモリなどの外部記憶装置などが挙げられる。なお、これらの接続は、有線であってもよいし、無線であってもよい。この例では、制御ユニット５０は、設定部５１と、判定部５２と、制御部５３とを有している。
【００５１】
〈設定部〉
設定部５１は、特定貨幣判定条件を設定するように構成されている。この例では、設定部５１は、操作部４０に与えられた操作（すなわち操作部４０に入力された情報）に応じて、特定貨幣判定条件を設定（または変更）するように構成されている。特定貨幣判定条件は、どの種別の紙幣（貨幣）が予め定められた特定紙幣（特定貨幣）に該当すると判定されるべきかを示している。特定紙幣は、処理の対象外とされる紙幣に該当する。この例では、特定紙幣は、リジェクト券（リジェクト貨幣）に該当する。リジェクト券は、予め定められたリジェクト部（この例では、リジェクトスタッカ１２）へ搬送される紙幣に該当する。
【００５２】
なお、この例では、特定貨幣判定条件は、どの金種のどの正損要因に対応する紙幣が特定紙幣に該当すると判定されるべきかを示す第１判定条件と、どの金種の旧券（旧貨）が特定紙幣に該当すると判定されるべきかを示す第２判定条件と、どの金種の読取不可券（読取不可貨幣）が特定紙幣に該当すると判定されるべきかを示す第３判定条件とを含んでいる。読取不可券は、識別部２１において記番号を読み取れない紙幣のことである。具体的には、設定部５１は、図４に示すような第１判定条件を示した第１判定テーブルと、図５に示すような第２判定条件および第３判定条件を示した第２判定テーブルとを有している。
【００５３】
図４に示した第１判定テーブル（第１判定条件）は、金種毎および正損要因毎に紙幣が特定紙幣（この例ではリジェクト券）に該当すると判定されるべきなのか特定紙幣に該当すると判定されるべきではないのか（損券に該当すると判定されるべきなのか）を示している。なお、図４の例において、「ＲＪ」は、リジェクト紙幣（特定紙幣の一例）を示している。例えば、図４の例では、金種が「人民元の５元」に該当し且つ正損要因が「穴欠損」に該当する紙幣を「特定損券（リジェクト券）に該当すると判定されるべき紙幣」とし、金種が「人民元の５元」に該当し且つ正損要因が「コバ折れ」に該当する紙幣を「損券に該当すると判定されるべき紙幣（「特定損券（リジェクト券）」に該当すると判定されるべきではない紙幣）」としている。
【００５４】
また、図５に示した第２判定テーブル（第２判定条件）は、金種毎に旧券が特定紙幣に該当すると判定されるべきなのか特定紙幣に該当すると判定されるべきではないのか（旧券と判定されるべきなのか）を示している。なお、図５の例において、「ＲＪ」は、その金種の旧券が特定紙幣に該当すると判定されるべきであることを示し、ハイフンは、その金種の旧券が特定紙幣に該当すると判定されるべきではない（旧券に該当すると判定されるべきである）ことを示している。
【００５５】
また、図５に示した第２判定テーブル（第３判定条件）は、金種毎に読取不可券が特定紙幣に該当すると判定されるべきなのか特定紙幣に該当すると判定されるべきではないのか（読取不可券に該当すると判定されるべきなのか）を示している。なお、図５の例において、「ＲＪ」は、その金種の読取不可券が特定紙幣に該当すると判定されるべきであることを示し、ハイフンは、その金種の読取不可券が特定紙幣に該当すると判定されるべきではない（読取不可券に該当すると判定されるべきである）ことを示している。
【００５６】
また、設定部５１は、図６に示すような設定画面（特定貨幣条件を設定するための設定画面）を操作部４０（表示部を兼ねている操作部４０）に表示させるように構成されている。図６の例では、人民元の２０元について第１判定条件（２０元のどの正損要因に対応する紙幣を特定紙幣に該当すると判定すべき紙幣とするのか）と第２判定条件（２０元の旧券を特定紙幣に該当すると判定すべき紙幣とするのか）と第３判定条件（２０元の読取不可券を特定紙幣に該当すると判定すべき紙幣とするのか）とを設定させるための設定画面を例示している。操作者は、操作部４０に表示された設定画面に含まれる各項目のプルダウンメニューの中から所望の設定を選択する。そして、設定部５１は、操作者による操作部４０の操作（その操作により入力された情報）に応じて、特定貨幣判定条件を設定（または変更）する。
【００５７】
〈判定部〉
判定部５２は、設定部５１において設定された特定貨幣判定条件と識別部２１における紙幣（貨幣）の識別結果とに基づいて、その紙幣が特定紙幣（特定貨幣）に該当するか否かを判定するように構成されている。この例では、判定部５２は、特定貨幣判定条件（具体的には第１判定条件）と識別部２１において識別された紙幣の金種および正損要因とに基づいて、その紙幣が特定紙幣に該当するか否かを判定する。また、判定部５２は、特定貨幣判定条件（具体的には第２判定条件）と識別部２１において識別された紙幣の金種および新旧とに基づいて、その紙幣が特定紙幣に該当するか否かを判定する。さらに、判定部５２は、特定貨幣判定条件（具体的には第３判定条件）と識別部２１において識別された紙幣の金種および識別部２１における紙幣の記番号の読み取り可否とに基づいて、その紙幣が特定紙幣に該当するか否かを判定する。なお、判定部５２は、識別ユニット２０に含まれていてもよい。
【００５８】
〈制御部〉
制御部５３は、識別部２１における紙幣の識別結果と判定部５２における紙幣の判定結果とに応じて、搬送部３０による紙幣の搬送を制御するように構成されている。例えば、制御部５３は、紙幣の種別とその種別の紙幣の搬送先との対応を示した搬送テーブルを有し、その搬送テーブルの中から識別部２１における紙幣の識別結果および判定部５２における紙幣の判定結果に対応する搬送先を選出し、その選出された搬送先にその紙幣を搬送するように構成されている。
【００５９】
また、各種スタッカ（この例では、リジェクトスタッカ１２，第１非結束スタッカ１３，第２非結束スタッカ１４，第１結束スタッカ１５，第２結束スタッカ１６）には、そのスタッカに搬送されるべき紙幣の種別が割り当てられている。すなわち、制御部５３は、各種スタッカに割り当てられた種別の紙幣がそのスタッカに搬送されるように、識別部２１における紙幣の識別結果と判定部５２における紙幣の判定結果とに応じて搬送部３０による紙幣の搬送を制御する。この例では、リジェクトスタッカ１２に特定紙幣（リジェクト券）が割り当てられている。
【００６０】
また、制御部５３は、紙幣の種別毎に紙幣を計数するように構成されている。また、制御部５３は、紙幣処理装置１において処理された紙幣の情報（識別部２１における紙幣の識別結果や、識別部２１において読み取られた紙幣の記番号や、判定部５２における紙幣の判定結果など）が紙幣毎に登録された出力用データファイルを作成して外部機器１００へ出力するように構成されている。
【００６１】
〔紙幣処理装置による動作〕
次に、図７および図８を参照して、紙幣処理装置１による動作について説明する。
【００６２】
〈ステップＳＴ１０１〉
まず、紙幣処理装置１に、処理される紙幣が取り込まれる。識別部２１は、取り込まれた紙幣に対して識別処理（この例では、紙幣の金種と正損と新旧の識別と、紙幣の記番号の読み取りと、紙幣の搬送異常とサイズ異常と金種異常と真偽異常の識別）を行う。紙幣処理装置１では、識別部２１において識別処理が行われた紙幣を対象として以下の処理が行われる。具体的には、識別部２１，判定部５２，制御部５３が以下の処理を行う。
【００６３】
〈ステップＳＴ１０２〉
判定部５２は、識別部２１において判定対象の紙幣の搬送異常が識別されたか否かを判定する。識別部２１において判定対象の紙幣の搬送異常が識別されている場合、判定部５２は、判定対象の紙幣が特定紙幣に該当すると判定し、ステップＳＴ４０１へ進む。一方、識別部２１において判定対象の紙幣の搬送異常が識別されていない場合は、ステップＳＴ１０３へ進む。
【００６４】
〈ステップＳＴ１０３〉
次に、判定部５２は、識別部２１において判定対象の紙幣のサイズ異常が識別されたか否かを判定する。識別部２１において判定対象の紙幣のサイズ異常が識別されている場合、判定部５２は、判定対象の紙幣が特定紙幣に該当すると判定し、ステップＳＴ４０１へ進む。一方、識別部２１において判定対象の紙幣のサイズ異常が識別されていない場合は、ステップＳＴ１０４へ進む。
【００６５】
〈ステップＳＴ１０４〉
次に、判定部５２は、識別部２１において判定対象の紙幣の金種異常が識別されたか否かを判定する。識別部２１において判定対象の紙幣の金種異常が識別されている場合、判定部５２は、判定対象の紙幣が特定紙幣に該当すると判定し、ステップＳＴ４０１へ進む。一方、識別部２１において判定対象の紙幣の金種異常が識別されていない場合は、ステップＳＴ１０５へ進む。
【００６６】
〈ステップＳＴ１０５〉
次に、判定部５２は、識別部２１において判定対象の紙幣の真偽異常（すなわち紙幣が偽券に該当すること）が識別されたか否かを判定する。識別部２１において判定対象の紙幣の真偽異常が識別されている場合、判定部５２は、判定対象の紙幣が特定紙幣に該当すると判定し、ステップＳＴ４０１へ進む。一方、識別部２１において判定対象の紙幣の真偽異常が識別されていない場合、判定部５２は、判定対象の紙幣が真券に該当すると判定し、ステップＳＴ１０６へ進む。
【００６７】
〈ステップＳＴ１０６，ＳＴ１０７〉
次に、判定部５２は、識別部２１において判定対象の紙幣が正券に該当すると識別されたか否かを判定する（ＳＴ１０６）。識別部２１において判定対象の紙幣が正券に該当すると識別されている場合、判定部５２は、判定対象の紙幣が正券に該当すると判定し、ステップＳＴ２０１へ進む。
【００６８】
一方、識別部２１において判定対象の紙幣が正券に該当すると識別されていない場合、判定部５２は、設定部５１に設定された特定貨幣判定条件と、識別部２１において識別された判定対象の紙幣の金種および正損要因とに基づいて、判定対象の紙幣が特定紙幣に該当するか否かを判定する（ＳＴ１０７）。判定対象の紙幣が特定紙幣に該当すると判定すべき紙幣ではない場合、判定部５２は、判定対象の紙幣が損券に該当すると判定し、ステップＳＴ２０１へ進む。一方、判定対象の紙幣が特定紙幣に該当すると判定すべき紙幣である場合、判定部５２は、判定対象の紙幣が特定紙幣に該当すると判定し、ステップＳＴ４０１へ進む。
【００６９】
〈ステップＳＴ２０１，ＳＴ２０２〉
ステップＳＴ１０６（またはステップＳＴ１０７）において判定対象の紙幣が正券（または損券）と判定された後、判定部５２は、識別部２１において判定対象の紙幣が新券に該当すると識別されたか否かを判定する（ＳＴ２０１）。識別部２１において判定対象の紙幣が新券に該当すると識別されている場合、判定部５２は、判定対象の紙幣が新券に該当すると判定し、ステップＳＴ３０１へ進む。
【００７０】
一方、識別部２１において判定対象の紙幣が新券に該当すると識別されていない場合、判定部５２は、設定部５１に設定された特定貨幣判定条件と、識別部２１において識別された判定対象の紙幣の金種および新旧とに基づいて、判定対象の紙幣が特定紙幣に該当するか否かを判定する（ＳＴ２０２）。判定対象の紙幣が特定紙幣に該当すると判定すべき紙幣ではない場合、判定部５２は、判定対象の紙幣が旧券に該当すると判定し、ステップＳＴ３０１へ進む。一方、判定対象の紙幣が特定紙幣に該当すると判定すべき紙幣である場合、判定部５２は、判定対象の紙幣が特定紙幣に該当すると判定し、ステップＳＴ４０１へ進む。
【００７１】
〈ステップＳＴ３０１，ＳＴ３０２〉
ステップＳＴ２０１（またはステップＳＴ２０２）において判定対象の紙幣が新券（または旧券）と判定された後、判定部５２は、識別部２１において判定対象の紙幣の記番号を読み取れたか否かを判定する（ＳＴ３０１）。識別部２１において判定対象の紙幣の記番号を読み取れている場合、判定部５２は、判定対象の紙幣が読取可能券（記番号を読み取れた紙幣）に該当すると判定し、ステップＳＴ４０１へ進む。
【００７２】
一方、識別部２１において判定対象の紙幣の記番号を読み取れなかった場合、判定部５２は、設定部５１に設定された特定貨幣判定条件と、識別部２１において識別された判定対象の紙幣の金種および識別部２１における判定対象の紙幣の記番号の読み取り可否とに基づいて、判定対象の紙幣が特定紙幣に該当するか否かを判定する（ＳＴ３０２）。判定対象の紙幣が特定紙幣に該当すると判定すべき紙幣ではない場合、判定部５２は、判定対象の紙幣が読取不可券（記番号を読み取れなかった紙幣）に該当すると判定し、ステップＳＴ４０１へ進む。一方、判定対象の紙幣が特定紙幣に該当すると判定すべき紙幣である場合、判定部５２は、判定対象の紙幣が特定紙幣に該当すると判定し、ステップＳＴ４０１へ進む。
【００７３】
〈ステップＳＴ４０１〉
次に、制御部５３は、識別部２１の識別結果および判定部５２の判定結果に応じて、搬送部３０による判定対象の紙幣の搬送を制御する。この例では、制御部５３は、判定部５２において判定対象の紙幣が特定紙幣（この例ではリジェクト券）に該当すると判定されている場合、その判定対象の紙幣がリジェクトスタッカ１２に搬送されるように搬送部３０による紙幣の搬送を制御する。また、制御部５３は、判定部５２において判定対象の紙幣が特定紙幣（この例ではリジェクト券）に該当すると判定されていない場合、その判定対象の紙幣が第１非結束スタッカ１３，第２非結束スタッカ１４，第１結束スタッカ１５，第２結束スタッカ１６のいずれかに搬送されるように搬送部３０による紙幣の搬送を制御する。
【００７４】
なお、搬送異常判定（ステップＳＴ１０２），サイズ異常判定（ステップＳＴ１０３），金種異常判定（ステップＳＴ１０４），真偽異常判定（ステップＳＴ１０５），正損判定（ステップＳＴ１０６，ＳＴ１０７），新旧判定（ステップＳＴ２０１，ＳＴ２０２），読み取り可否判定（ステップＳＴ３０１，ＳＴ３０２）の順は、図７および図８に示した順に限らず、任意の順とすることが可能である。
【００７５】
〔紙幣処理装置による動作の具体例〕
次に、紙幣処理装置１による動作について具体例を挙げて説明する。ここでは、リジェクトスタッカ１２，第１および第２非結束スタッカ１３，１４，第１および第２結束スタッカ１５，１６に対して、次のように紙幣の種別が割り当てられているものとする。
【００７６】
リジェクトスタッカ１２：特定紙幣（リジェクト券）
第１非結束スタッカ１３：１００元の正券
第２非結束スタッカ１４：１００元以外の紙幣
第１結束スタッカ１５：１００元の損券
第２結束スタッカ１６：１００元の損券
また、特定貨幣判定条件において、「金種が１００元に該当し且つ正損要因が部分テープおよび全面テープに該当する紙幣」と「金種が５０元に該当し且つ正損要因が部分テープおよび全面テープに該当する紙幣」を「特定紙幣（リジェクト券）に該当すると判定すべき紙幣」とし、それら以外の紙幣を「損券に該当すると判定すべき紙幣」としているものとする。
【００７７】
この場合、１００元の正券は、第１非結束スタッカ１３に搬送されて集積される。１００元のテープ券（一部または全部にテープが貼られた紙幣）は、判定部５２において特定紙幣（リジェクト券）に該当すると判定される。特定貨幣は、計数処理や分類処理や結束処理の対象とされず、リジェクトスタッカ１２に搬送されて返却される。一方、１００元のテープ券とは異なる損券（正損要因が部分テープおよび全面テープに該当しない１００元の損券）は、判定部５２において損券に該当すると判定され、第１結束スタッカ１５（または第２結束スタッカ１６）に搬送されて集積される。
【００７８】
また、５０元の正券は、第２非結束スタッカ１４に搬送されて集積される。５０元のテープ券は、判定部５２において特定紙幣（リジェクト券）に該当すると判定される。特定貨幣は、計数処理や分類処理や結束処理の対象とされず、リジェクトスタッカ１２に搬送されて返却される。一方、５０元のテープ券とは異なる損券（正損要因が部分テープおよび全面テープに該当しない５０元の損券）は、判定部５２において損券に該当すると判定され、第２非結束スタッカ１４に搬送されて集積される。
【００７９】
このように、１００元および５０元のテープ券を処理の対象外とする一方で、１００元および５０元のテープ券とは異なる損券を処理の対象とすることができる。すなわち、制御部５３は、判定部５２において特定紙幣に対応する正損要因とは異なる正損要因に対応する損券（詳しくは、特定紙幣の金種と同一の金種に対応する紙幣であり且つ特定紙幣に対応する正損要因とは異なる正損要因に対応する損券）に該当すると判定された紙幣が特定紙幣の搬送先（この例では、リジェクトスタッカ１２）とは異なる予め定められた搬送先（この例では、第２非結束スタッカ１４，第１結束スタッカ１５，第２結束スタッカ１６のいずれか）へ搬送されるように、搬送部３０による紙幣の搬送を制御するように構成されている。
【００８０】
〔実施形態１による効果〕
以上のように、どの金種のどの正損要因に対応する紙幣が特定紙幣に該当すると判定されるべきかを示す第１判定条件を含む特定貨幣判定条件と、識別部２１において識別された紙幣の新種および正損要因とに基づいて紙幣が予め定められた特定紙幣に該当するか否かをすることにより、特定紙幣の取り扱い（紙幣を予め定められた特定紙幣として取り扱うのか否か）を金種別および正損要因別に設定することができる。例えば、金種が比較的に高額の金種に該当し且つ正損要因が部分テープまたは全面テープに該当する紙幣（高額テープ券）を特定紙幣（例えばリジェクト券）として取り扱う一方で、金種が比較的に低額の金種に該当する紙幣を、その紙幣の正損要因が部分テープまたは全面テープに該当したとしても、損券として取り扱うことができる。これにより、紙幣の取り扱いの設定自由度を向上させることができる。
【００８１】
また、特定紙幣を処理の対象外とされる紙幣（例えば、計数処理や分類処理や結束処理に対象とされない紙幣、この例では、リジェクト券）として取り扱うことにより、特定紙幣の取り扱いを処理の対象外とされる紙幣と同一の取り扱いとすることができる。
【００８２】
また、判定部５２において特定紙幣に対応する正損要因とは異なる正損要因に対応する損券に該当すると判定された紙幣がリジェクトスタッカ１２（リジェクト部の一例）とは異なる予め定められた搬送先へ搬送されるように、搬送部３０による紙幣の搬送を制御することにより、特定紙幣の取り扱いを損貨の取り扱いとは異なる取り扱いに設定することができる。
【００８３】
また、どの金種の旧券が特定紙幣に該当すると判定されるべきか否かを示す第２判定条件とを含む特定貨幣判定条件と、識別部２１において識別された紙幣の金種および新旧に基づいて紙幣が特定紙幣に該当するか否かを判定することにより、紙幣の取り扱いを金種別および新旧別に設定することができる。これにより、紙幣の取り扱いの設定自由度をさらに向上させることができる。
【００８４】
また、どの金種の読取不可券が特定紙幣に該当すると判定されるべきか否かを示す第３判定条件を含む特定貨幣判定条件と、識別部２１において識別された紙幣の金種と識別部２１における紙幣の記番号の読み取り可否とに基づいて紙幣が特定紙幣に該当するか否かを判定することにより、紙幣の取り扱いを金種別および紙幣の記番号の読み取り可否別に設定することができる。これにより、紙幣の取り扱いの設定自由度をさらに向上させることができる。
【００８５】
また、リジェクトスタッカ１２（リジェクト部の一例）が紙幣を収納するための収納部を構成することにより、特定紙幣（リジェクト券）を収納部に収納することができる。
【００８６】
また、特定貨幣判定条件を設定するように構成された設定部５１を設けることにより、特定貨幣判定条件を任意に設定することができる。これにより、紙幣の取り扱いの設定自由度をさらに向上させることができる。
【００８７】
〔紙幣処理装置を利用して行う業務〕
紙幣処理装置１は、例えば銀行のテラーカウンタや現金センターなどにおいて、各種の業務を行う際に利用される。紙幣処理装置１を利用して行う業務には、預入業務，払出業務，正損分け業務，大束正損分け業務，カセット回収業務，カセット装填業務，ＡＴＭ回収業務，ＡＴＭ装填業務，記番号記録業務が含まれる。預入業務は、預け入れをする紙幣を紙幣処理装置１を用いて計数する業務のことである。払出業務は、払い出す紙幣を紙幣処理装置１を用いて計数する業務のことである。正損分け業務は、紙幣処理装置１を用いて紙幣の正損を分類する業務のことである。大束正損分け業務は、正券および/または損券の大束を作成するために紙幣処理装置１を用いて紙幣の正損を分類し且つ設定した枚数の正券および/または損券を集積する業務のことである。カセット回収業務は、カセット（図示を省略）から回収した紙幣を紙幣処理装置１を用いて計数し且つ分類する業務のことである。カセット装填業務は、カセットに装填する紙幣として設定した枚数の紙幣を紙幣処理装置１を用いて計数して集積する業務のことである。ＡＴＭ回収業務は、ＡＴＭ（図示を省略）から回収した紙幣を紙幣処理装置１を用いて計数し且つ分類する業務のことである。ＡＴＭ装填業務は、紙幣処理装置１がＡＴＭに装填する紙幣として設定した枚数の紙幣を紙幣処理装置１を用いて計数して集積する業務のことである。記番号記録業務は、紙幣処理装置１が紙幣の記番号を読み取って記録する業務のことである。
【００８８】
〔紙幣処理装置の変形例〕
なお、紙幣処理装置１は、業務毎に判定部５２において特定紙幣に該当すると判定すべき紙幣の種別（具体的には正損要因）を設定可能に構成されていてもよい。また、紙幣処理装置１は、業務毎に識別部２１における真偽識別の要否を設定可能に構成されていてもよい。さらに、紙幣処理装置１は、業務毎に識別部２１における金種識別の識別レベルを設定可能に構成されていてもよい。具体的には、識別部２１と設定部５１と判定部５２と制御部５３は、次のように構成されていてもよい。
【００８９】
〈識別部の変形例〉
識別部２１は、真偽識別の要否を切り換え可能に構成されていてもよい。また、識別部２１は、金種識別の識別レベルを通常レベルと緩和レベル（通常レベルよりも緩い識別レベル）とに切り換え可能に構成されていてよい。
【００９０】
〈設定部の変形例〉
設定部５１は、紙幣処理装置を利用して行う業務を示す業務情報を設定するように構成されていてもよい。具体的には、設定部５１は、操作部４０に与えられた操作（すなわち操作部４０に入力された情報）に応じて業務情報を設定（または変更）するように構成されていてもよい。
【００９１】
また、設定部５１は、業務別特定貨幣判定条件と真偽識別設定条件と金種識別設定条件とを設定するように構成されていてもよい。例えば、設定部５１は、操作部４０に与えられた操作（すなわち操作部４０に入力された情報）に応じて、業務別特定貨幣判定条件と真偽識別設定条件と金種識別設定条件を設定（または変更）するように構成されていてもよい。
【００９２】
業務別特定貨幣判定条件は、どの業務においてどの正損要因に対応する紙幣（貨幣）が予め定められた特定紙幣（特定貨幣）に該当すると判定されるべきかを示している。真偽識別設定条件は、どの業務において真偽識別を行うべきか否かを示している。金種識別設定条件は、どの業務において金種識別の識別レベルを通常レベルおよび緩和レベルのどちらに設定すべきかを示している。具体的には、設定部５１は、図９に示すような業務別特定貨幣判定条件と真偽識別設定条件と金種種別設定条件とを示した制御テーブルを有している。
【００９３】
図９に示した制御テーブル（業務別特定貨幣判定条件）は、業務毎および正損要因毎に紙幣が特定紙幣（この例ではリジェクト券）に該当すると判定されるべきなのか特定紙幣に該当すると判定されるべきではないのか（損券に該当すると判定されるべきなのか）を示している。なお、図９の例では、「ＲＪ」は、リジェクト紙幣（特定紙幣の一例）を示している。例えば、図９の例では、業務が「払出」に該当し且つ正損要因が「穴欠損」に該当する紙幣を「特定損券（リジェクト券）に該当すると判定されるべき紙幣」とし、業務が「預入」に該当し且つ正損要因が「穴欠損」に該当する紙幣を「損券に該当すると判定されるべき紙幣（特定損券（リジェクト券）に該当すると判定されるべきではない紙幣）」としている。
【００９４】
図９に示した制御テーブル（真偽識別判定条件）は、業務毎に真偽識別が行われるべきか否かを示している。なお、図９の例において、丸印は、その業務において真偽識別が行われるべきであることを示し、ハイフンは、その業務において真偽識別が行われるべきではないことを示している。
【００９５】
図９に示した制御テーブル（金種識別判定条件）は、業務毎に金種識別の識別レベルが通常レベルおよび緩和レベルのどちらに設定されるべきかを示している。なお、図９の例において、丸印は、その業務において金種識別の識別レベルが通常レベルに設定されるべきであることを示し、三角印は、その業務において金種識別の識別レベルが緩和レベルに設定されるべきであることを示している。
【００９６】
〈制御部の変形例〉
制御部５３は、業務別特定貨幣判定条件と設定部５１において設定された業務情報と識別部２１において識別された紙幣の正損要因とに基づいて、紙幣が特定紙幣に該当するか否かを判定するように構成されていてもよい。また、制御部５３は、真偽識別設定条件と設定部５１において設定された業務情報とに基づいて、識別部２１における真偽識別の要否を設定するように構成されていてもよい。さらに、制御部５３は、金種識別設定条件と設定部５１において設定された業務情報とに基づいて、識別部２１における金種識別の識別レベルを通常レベルと緩和レベルのどちらかに設定するように構成されていてもよい。
【００９７】
〔紙幣処理装置の変形例による効果〕
以上のように、どの業務においてどの正損要因に対応する紙幣が予め定められた特定紙幣に該当すると判定されるべきかを示す業務別特定貨幣判定条件と、設定部５１において設定された業務情報（紙幣処理装置を利用して行う業務を示す情報）と、識別部２１において識別された紙幣の正損要因とに基づいて、紙幣が特定紙幣に該当するか否かを判定することにより、特定紙幣の取り扱い（紙幣を予め定められた特定紙幣として取り扱うのか否か）を業務別および正損要因別に設定することができる。これにより、紙幣の取り扱いの設定自由度を向上させることができる。
【００９８】
また、どの業務において真偽識別を行うべきか否かを示す真偽識別設定条件と、設定部５１において設定された業務情報（紙幣処理装置を利用して行う業務を示す情報）とに基づいて、識別部２１における真偽識別の要否を設定することにより、真偽識別の要否を業務別に設定することができる。これにより、紙幣の取り扱いの設定自由度を向上させることができる。
【００９９】
また、どの業務において金種識別の識別レベルを通常レベルおよび緩和レベルのどちらに設定すべきかを示す金種識別判定条件と、設定部５１において設定された業務情報（紙幣処理装置を利用して行う業務を示す情報）とに基づいて、識別部２１における金種識別の識別レベルを通常レベルと緩和レベルのどちらかに設定することにより、金種識別の識別レベルを業務別に設定することができる。これにより、紙幣の取り扱いの設定自由度を向上させることができる。
【０１００】
また、業務別特定貨幣判定条件と真偽識別設定条件と金種識別設定条件とを設定するように構成された設定部５１を設けることにより、業務別特定貨幣判定条件と真偽識別設定条件と金種識別設定条件とを任意に設定することができる。
【０１０１】
なお、特定貨幣判定条件（第１判定条件や第２判定条件や第３判定条件を含む条件）と業務別特定貨幣判定条件の両方が設定されている場合、制御部５３は、特定貨幣判定条件よりも業務別特定貨幣判定条件を優先して搬送部３０による紙幣の搬送を制御するように構成されていることが好ましい。例えば、制御部５３は、業務別特定貨幣判定条件に基づく判定結果が判定対象の紙幣が損券に該当することを示している一方で、特定貨幣判定条件に基づく判定結果が判定対象の紙幣が特定紙幣に該当することを示している場合に、判定対象の紙幣が損券に該当すると判定するように構成されていることが好ましい。また、設定部５１において業務情報が設定されていない場合、制御部５３は、特定貨幣判定条件に基づいて搬送部３０による紙幣の搬送を制御する。
【０１０２】
（実施形態２）
図１０および図１１は、実施形態２による紙幣処理装置２の構成例を示している。紙幣処理装置２は、貨幣を処理する貨幣処理装置の一例である。この例では、紙幣処理装置２は、循環式の入出金機を構成しており、出金処理の際に紙幣処理装置２が払い出す紙幣には、入金処理の際に紙幣処理装置２に収納した紙幣が含まれる。具体的には、紙幣処理装置２は、筐体６０と、識別ユニット２０と、搬送部３０と、操作部４０と、制御ユニット５０とを備えている。紙幣処理装置２は、処理部６１と金庫部６２に大別され、金庫部６２は、第１金庫部６３と第２金庫部６４とに区別される。
【０１０３】
〔筐体〕
筐体６０には、識別ユニット２０と搬送部３０と制御ユニット５０とが収容されている。また、筐体６０の前面には、操作部４０が設けられている。筐体６０は、処理部６１を構成する処理部側筐体７０と、金庫部６２を構成する防護筐体８０とにより構成されている。
【０１０４】
〔処理部側筐体〕
処理部側筐体７０には、識別ユニット２０と搬送部３０と操作部４０と制御ユニット５０とが配置されている。この例では、処理部側筐体７０と識別ユニット２０と搬送部３０と操作部４０と制御ユニット５０とが処理部６１を構成している。また、処理部側筐体７０には、入金部７１と、出金部７２と、一時保留部７３とが設けられている。
【０１０５】
〈入金部〉
入金部７１は、紙幣が投入されるように構成されている。この例では、入金部７１は、その入金口が処理部側筐体７０の上面において上向きに開口していて、複数枚の紙幣を一度に受け入れ可能に構成されている。また、入金部７１は、繰り出し機構（図示を省略）を有している。繰り出し機構は、入金部７１に投入された複数枚の紙幣を搬送部３０に１枚ずつ繰り出すように構成されている。また、入金部７１には、入金部７１における紙幣の在否を検出する紙幣センサなどの各種センサが設けられていてもよい。
【０１０６】
〈出金部〉
出金部７２は、紙幣を払い出すように構成されている。この例では、出金部７２は、搬送されてきた紙幣を集積するように構成されている。また、出金部７２は、その出金口が入金部７１の入金口よりも装置手前側（図１１の右側）の処理部側筐体７０における上面から前面にかけての位置において斜め上方へ向けて開口しており、複数枚の紙幣を一度に保持可能に構成されている。また、出金部７２には、出金部７２における紙幣の在否を検出する紙幣センサなどの各種センサが設けられていてもよい。なお、出金部７２は、入金処理の対象とされない紙幣を返却するための返却部としても使用される。すなわち、この例では、出金部７２（リジェクト部）は、紙幣を紙幣処理装置１外へ返却するための返却口を構成している。
【０１０７】
〈一時保留部〉
一時保留部７３は、紙幣を一時的に収納するように構成されている。この例では、一時保留部７３は、巻き取り方式に構成されている。すなわち、一時保留部７３は、紙幣を１枚ずつ巻き取って収納するとともに、その収納した順番とは逆順で紙幣を１枚ずつ繰り出す（いわゆる先入れ後出しとなる）ように紙幣を収納する。
【０１０８】
〔防護筐体〕
防護筐体８０は、所定以上のセキュリティレベルで防護するように構成されている。具体的には、防護筐体８０のセキュリティレベルは、処理部側筐体７０のセキュリティレベルよりも高くなっている。防護筐体８０の前面には、第１金庫部６３を開閉するための第１開閉扉６３ａと、第２金庫部６４を開閉するための第２開閉扉６４ｂとがそれぞれ個別に設けられている。そして、第１および第２開閉扉６３ａ，６３ｂには、それぞれ別の電子錠が設けられている。このような構成により、第１金庫部６３のアクセス権限と第２金庫部６４のアクセス権限とが互いに異なっている。
【０１０９】
防護筐体８０の上部には、複数のスタック式の収納カセット（この例では、第１−第５収納カセット８１−８５）が収容され、防護筐体８０の下部には、スタック式の回収カセット８６が収容されている。この例では、防護筐体８０の上部と第１−第５収納カセット８１−８５とが第１金庫部６３を構成し、防護筐体８０の下部と回収カセット８６とが第２金庫部６４を構成している。
【０１１０】
〈収納カセット〉
第１−第５収納カセット８１−８５は、第１金庫部６３に対して着脱可能に構成されている。具体的には、第１金庫部６３は、第１金庫部６３の第１開閉扉６３ａを開けた状態において装置の手前に引き出し可能に構成されたスライド部（図示を省略）を有し、第１−第５収納カセット８１−８５は、スライド部に対して着脱可能に構成されている。
【０１１１】
第１，第２，第３，第５収納カセット８１，８２，８３，８５は、上下方向に細長い形状を有している。第１収納カセット８１の上面には、紙幣の通過が可能な出入口がカセットの内外を連通するように形成されている。第２，第３，第５収納カセット８２，８３，８５は、第１収納カセット８１と同様の構成となっている。また、第１，第２，第３，第５収納カセット８１，８２，８３，８５には、通過センサＳ８１，Ｓ８２，Ｓ８３，Ｓ８５と集積台８１ａ，８２ａ，８３ａ，８５ａとが設けられている。通過センサＳ８１は、第１収納カセット８１の出入口における紙幣の通貨を検知するように構成されている。通過センサＳ８２，Ｓ８３，Ｓ８５は、通過センサＳ８１と同様の構成となっている。集積台８１ａは、第１収納カセット８１に集積される紙幣の量に応じて昇降するように構成されている。集積台８２ａ，８３ａ，８５ａは、集積台８１ａと同様の構成となっている。
【０１１２】
第４収納カセット８４は、その内部に仕切が設けられており、これによって上側の第４収納カセット上部８７と下側の第４収納カセット下部８８とに分割されている。第４収納カセット上部８７の上面には、紙幣の通過が可能な出入口がカセットの内外を連通するように形成されている。また、第４収納カセット上部８７には、通過センサＳ８７と集積台８７ａとが設けられている。通過センサＳ８７および集積台８７ａは、通過センサＳ８１および集積台８１ａと同様の構成となっている。第４収納カセット下部８８の側面には、紙幣の通過が可能な出入口がカセットの内外を連通するように形成されている。また、第４収納カセット下部８８には、通過センサＳ８８と集積台８８ａとが設けられている。通過センサＳ８８および集積台８８ａは、通過センサＳ８１および集積台８１ａと同様の構成となっている。
【０１１３】
以上のような構成により、第１収納カセット８１は、搬送部３０から出入口を通過して内部に送り込まれた紙幣を集積台８１ａの上において下から上の順に積み重ねて収納するように構成されているとともに、集積台８１ａ上に積み重ねられた紙幣を上から下の順に１枚ずつ出入口を通じてカセット外（すなわち搬送部３０）に繰り出すことが可能に構成されている。第２，第３，第５収納カセット８２，８３，８５，第４収納カセット上部８７，第４収納カセット下部８８についても、第１収納カセット８１と同様となっている。
【０１１４】
〈回収カセット〉
回収カセット８６は、第２金庫部６４に対して着脱可能に構成されている。また、回収カセット８６は、装置の奥行き方向に細長い形状を有しており、その内部に奥行き方向に移動する札押さえ（図示を省略）を有している。そして、回収カセット８６は、その札押さえが紙幣の収納量に応じて移動をしながら、立てた姿勢の紙幣を奥行き方向に並べるように収納するよう構成されている。なお、回収カセット８６は、収納している紙幣を繰り出し不可に構成されている。また、回収カセット８６には、通過センサＳ８６が設けられている。通過センサＳ８６は、通過センサＳ８１と同様の構成となっている。
【０１１５】
〔識別ユニット〕
識別ユニット２０は、実施形態１と同様の構成となっている。すなわち、識別ユニット２０は、紙幣の種別を識別および紙幣の記番号の読み取りを行うように構成されており、ラインセンサや磁気センサや画像センサなどの各種センサと識別部２１とを有している。
【０１１６】
〔搬送部〕
搬送部３０は、紙幣を搬送するように構成されている。この例では、搬送部３０は、搬送路９１を有している。搬送路９１は、搬送ベルトや搬送ベルトを駆動する駆動機構などにより構成されている。具体的には、搬送路９１は、ループ搬送路９１０と、投入路９１１と、払出路９１２、保留路９１３と、第１−第６分岐路９２１−９２６と、分岐路９２８とを有している。投入路９１１は、ループ搬送路９１０から入金部７１まで延び、払出路９１２は、ループ搬送路９１０から出金部７２まで延び、保留路９１３は、ループ搬送路９１０から一時保留部７３まで延びている。第１，第２，第３分岐路９２１，９２２，９２３は、ループ搬送路９１０から第１，第２，第３収納カセット８１，８２，８３の出入口まで延び、第４分岐路９２４は、ループ搬送路９１０から第４収納カセット上部８７の出入口まで延び、第５分岐路９２５は、ループ搬送路９１０から第５収納カセット８５の出入口まで延びている。第６分岐路９２６は、ループ搬送路９１０から回収カセット８６まで延び、分岐路９２８は、第６分岐路９２６の中途部から第４収納カセット下部８８の出入口まで延びている。なお、搬送路９１には、搬送路９１における紙幣の通過を検出する通過センサなどの各種センサが設けられていてもよい。
【０１１７】
〔操作部〕
操作部４０は、実施形態１と同様の構成を有している。すなわち、操作者により操作されて情報を入力するように構成されている。
【０１１８】
〔制御ユニット〕
図１２に示すように、制御ユニット５０は、入金部７１，出金部７２，一時保留部７３，第１収納カセット８１，第２収納カセット８２，第３収納カセット８３，第４収納カセット８４（第４収納カセット上部８７と第４収納カセット下部８８），第５収納カセット８５，回収カセット８６，搬送部３０，操作部４０と通信可能に接続されている。そして、制御ユニット５０は、紙幣処理装置２の各部に設けられた各種センサ（具体的には、通過センサＳ８１−Ｓ８３，Ｓ８５−Ｓ８８）と接続され、これらの検出信号を入力するように構成されている。また、制御ユニット５０は、外部機器１００と通信可能に接続されている。なお、これらの接続は、有線であってもよいし、無線であってもよい。この例においても、制御ユニット５０は、設定部５１と、判定部５２と、制御部５３とを有している。なお、設定部５１と判定部５２と制御部５３は、実施形態１と同様の構成を有している。
【０１１９】
〔実施形態２による効果〕
以上のように構成した場合も、実施形態１と同様の効果を得ることができる。具体的には、特定紙幣の取り扱い（紙幣を予め定められた特定紙幣として取り扱うのか否か）を金種別および正損要因別に設定することができるので、紙幣の取り扱いの設定自由度を向上させることができる。
【０１２０】
また、出金部７２（リジェクト部の一例）が紙幣を紙幣処理装置１外へ返却するための返却口を構成することにより、特定紙幣（リジェクト券）を返却口から返却することができる。
【０１２１】
（その他の実施形態）
なお、制御部５３は、紙幣処理装置において処理された紙幣の情報（識別部２１における紙幣の識別結果や、識別部２１において読み取られた紙幣の記番号や、判定部５２における紙幣の判定結果など）が紙幣毎に登録された出力用データファイルを作成する際に、判定部５２において特定紙幣（例えばリジェクト券）に該当すると判定された紙幣に対してその旨を示すフラグ（紙幣が特定紙幣に該当することを示すフラグ）を付加するように構成されていてもよいし、判定部５２において特定紙幣に該当すると判定された紙幣に対応する情報が削除された出力用データファイルを作成するように構成されていてもよい。
【０１２２】
また、ここに開示する技術は、紙幣を処理する紙幣処理装置（貨幣処理装置の一例）だけでなく、硬貨を処理する硬貨処理装置（貨幣処理装置の一例）にも適用可能である。
【０１２３】
また、以上の実施形態を適宜組み合わせて実施してもよい。以上の実施形態は、本質的に好ましい例示であって、この開示、その適用物、あるいはその用途の範囲を制限することを意図するものではない。
【産業上の利用可能性】
【０１２４】
以上説明したように、ここに開示する技術は、貨幣を処理する貨幣処理装置として有用である。
【符号の説明】
【０１２５】
１，２      紙幣処理装置（貨幣処理装置）
１０        筐体
１１        入金ホッパ
１２        リジェクトスタッカ（リジェクト部）
１３        第１非結束スタッカ
１４        第２非結束スタッカ
１５        第１結束スタッカ
１６        第２結束スタッカ
１７        投出部
２０        識別ユニット
２１        識別部
３０        搬送部
３５        紙幣結束部
４０        操作部（タッチパネル）
５０        制御ユニット
５１        設定部
５２        判定部
５３        制御部
６０        筐体
７０        処理部側筐体
７１        入金部
７２        出金部（リジェクト部）
７３        一時保留部
８０        防護筐体
８１        第１収納カセット
８２        第２収納カセット
８３        第３収納カセット
８４        第４収納カセット
８５        第５収納カセット
８６        回収カセット
【図１】
0006681234.tif 000002
【図２】
0006681234.tif 000003
【図３】
0006681234.tif 000004
【図４】
0006681234.tif 000005
【図５】
0006681234.tif 000006
【図６】
0006681234.tif 000007
【図７】
0006681234.tif 000008
【図８】
0006681234.tif 000009
【図９】
0006681234.tif 000010
【図１０】
0006681234.tif 000011
【図１１】
0006681234.tif 000012
【図１２】
0006681234.tif 000013